(57)【要約】【課題】像保持体と対向する現像領域において、現像性を向上させること。【解決手段】複数の磁極を有する磁石部材（１１）と磁石部材（１１）の外周を多い且つ回転可能に支持された回転部材（１２）とを有し、磁石部材（１１）で回転部材（１２）の表面に保持された現像剤で像保持体の潜像を可視像に現像する現像剤保持体（Ｒ０ｙ）と、を備え、回転部材（１２）の表面に形成された凹凸における凹の最も深い位置（２１）をゼロとし且つ凸の最も高い位置（２２）を１００とした場合の凹凸の平均の深さ（２３）をｙとし、凹凸の１０点平均粗さをｘとした場合に、ｙ≧１．８７５×ｘ＋１１．２５を満足するように、回転部材（１２）の凹凸が形成されたこと現像装置（Ｇｙ）。【選択図】図３
2016170227.tif 000002
【特許請求の範囲】
【請求項１】
現像剤が収容される収容部と、
前記収容部内に配置された現像剤保持体であって、複数の磁極を有する磁石部材と、前記磁石部材の外周を覆い且つ回転可能に支持された回転部材と、を有し、前記磁石部材で前記回転部材の表面に保持された現像剤で像保持体の潜像を可視像に現像する前記現像剤保持体と、
を備え、
前記回転部材の表面に形成された凹凸における凹の最も深い位置をゼロとし且つ凸の最も高い位置を１００とした場合の凹凸の平均の深さをｙとし、前記凹凸の１０点平均粗さをｘとした場合に、
ｙ≧１．８７５×ｘ＋１１．２５  …式（１）
を満足するように、前記回転部材の凹凸が形成された
ことを特徴とする現像装置。
【請求項２】
前記回転部材の凹凸が、円筒の表面にブラスト加工で形成された
ことを特徴とする請求項１に記載の現像装置。
【請求項３】
像保持体と、
前記像保持体の表面に潜像を形成する潜像の形成装置と、
前記像保持体の表面の潜像を可視像に現像する請求項１または２に記載の現像装置と、
前記像保持体の表面の可視像を媒体に転写する転写装置と、
前記媒体の表面の可視像を定着させる定着装置と、
を備えたことを特徴とする画像形成装置。
【発明の詳細な説明】
【技術分野】
【０００１】
本発明は、現像装置および画像形成装置に関する。
【背景技術】
【０００２】
従来の複写機やプリンタ等の画像形成装置において、潜像を可視像に現像する現像装置に関して、以下の特許文献１に記載の技術が従来公知である。
【０００３】
特許文献１としての特開２００８−２９２９７１号公報には、現像剤担持体の表面をブラスト加工で形成し、凹凸の表面平均粗さＲｚが２０［μｍ］以上で、凹凸のピークの平均間隔Ｓｍが１５０［μｍ］以上、０．２［ｍｍ］中に存在する１［μｍ］以上の高さを持つ山の数が５個以上であり、表面がアルミニウムよりも高硬度にすることで、現像剤の搬送を経時的に安定させる技術が記載されている。
なお、特許文献１には、Ｖ字状の溝を周方向に対して、間隔をあけて形成した現像剤担持体も記載されている。
【先行技術文献】
【特許文献】
【０００４】
【特許文献１】特開２００８−２９２９７１号公報（要約書、「００１８」、「００６９」、図５）
【発明の概要】
【発明が解決しようとする課題】
【０００５】
本発明は、像保持体と対向する現像領域において、現像性を向上させることを技術的課題とする。
【課題を解決するための手段】
【０００６】
前記技術的課題を解決するために、請求項１に記載の発明の現像装置は、
現像剤が収容される収容部と、
前記収容部内に配置された現像剤保持体であって、複数の磁極を有する磁石部材と、前記磁石部材の外周を覆い且つ回転可能に支持された回転部材と、を有し、前記磁石部材で前記回転部材の表面に保持された現像剤で像保持体の潜像を可視像に現像する前記現像剤保持体と、
を備え、
前記回転部材の表面に形成された凹凸における凹の最も深い位置をゼロとし且つ凸の最も高い位置を１００とした場合の凹凸の平均の深さをｙとし、前記凹凸の１０点平均粗さをｘとした場合に、
ｙ≧１．８７５×ｘ＋１１．２５  …式（１）
を満足するように、前記回転部材の凹凸が形成された
ことを特徴とする。
【０００７】
請求項２に記載の発明は、請求項１に記載の現像装置において、
前記回転部材の凹凸が、円筒の表面にブラスト加工で形成された
ことを特徴とする。
【０００８】
前記技術的課題を解決するために、請求項３に記載の発明の画像形成装置は、
像保持体と、
前記像保持体の表面に潜像を形成する潜像の形成装置と、
前記像保持体の表面の潜像を可視像に現像する請求項１または２に記載の現像装置と、
前記像保持体の表面の可視像を媒体に転写する転写装置と、
前記媒体の表面の可視像を定着させる定着装置と、
を備えたことを特徴とする。
【発明の効果】
【０００９】
請求項１，３に記載の発明によれば、式（１）を満足しない場合に比べて、像保持体と対向する現像領域において、現像性を向上させることができる。
請求項２に記載の発明によれば、Ｖ字状の溝を形成する場合に比べて、現像領域に搬送される現像剤のムラを低減できる。
【図面の簡単な説明】
【００１０】
【図１】図１は実施例１の画像形成装置の説明図である。
【図２】図２は実施例１の画像形成装置の要部説明図である。
【図３】図３は実施例１の現像装置の説明図である。
【図４】図４は図３のＩＶ−ＩＶ線断面図である。
【図５】図５は実施例の現像スリーブの表面の凹凸の説明図であり、図５Ａはｄｕｔｙが小さい場合の説明図、図５Ｂはｄｕｔｙが大きい場合の説明図である。
【図６】図６は感光体と現像ロールの表面との隙間の説明図である。
【図７】図７は実験例および比較例の一覧表である。
【図８】図８は実験結果の説明図であり、図８Ａは横軸にＲｚを取り縦軸にｄｕｔｙを取ったグラフであり、図８Ｂは横軸にＲｚを取り縦軸に現像性を取ったグラフ、図８Ｃは横軸にｄｕｔｙを取り縦軸に現像性を取ったグラフである。
【発明を実施するための形態】
【００１１】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１２】
図１は実施例１の画像形成装置の説明図である。
図２は実施例１の画像形成装置の要部説明図である。
図１において、本発明の実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵＩが支持されている。前記ユーザインタフェースＵＩは、操作者が入力をして、複写機Ｕの操作が可能である。
【００１３】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１４】
スキャナ部Ｕ２の上面には、透明な原稿台の一例としてのプラテンガラスＰＧが配置されている。実施例１のスキャナ部Ｕ２には、プラテンガラスＰＧの下方に、読取り用の光学系Ａが配置されている。実施例１の読取り用の光学系Ａは、プラテンガラスＰＧの下面に沿って、左右方向に移動可能に支持されている。なお、読取り用の光学系Ａは、通常時は、図１に示す初期位置に停止している。
読取り用の光学系Ａの右方には、撮像部材の一例としての撮像素子ＣＣＤが配置されている。撮像素子ＣＣＤには、画像処理部ＧＳが電気的に接続されている。
画像処理部ＧＳは、プリンタ部Ｕ１の書込回路ＤＬに電気的に接続されている。書込回路ＤＬは、潜像の形成装置の一例としてのＬＥＤヘッドＬＨｙ，ＬＨｍ，ＬＨｃ，ＬＨｋに電気的に接続されている。
【００１５】
各ＬＥＤヘッドＬＨｙ〜ＬＨｋの上方には、像保持体の一例としての感光体ドラムＰＲｙ，ＰＲｍ，ＰＲｃ，ＰＲｋが配置されている。
各感光体ドラムＰＲｙ〜ＰＲｋには、帯電器の一例としての帯電ロールＣＲｙ，ＣＲｍ，ＣＲｃ，ＣＲｋが対向して配置されている。前記帯電ロールＣＲｙ〜ＣＲｋには、電源回路Ｅから帯電電圧が印加される。なお、電源回路Ｅは、制御部の一例としてのコントローラＣにより制御される。前記コントローラＣは、画像処理部ＧＳや書込回路ＤＬ等との間でも信号の送受信を行って、各種制御を行う。
感光体ドラムＰＲｙ〜ＰＲｋの回転方向に対して、帯電ロールＣＲｙ〜ＣＲｋの下流側に設定された書込領域Ｑ１ｙ，Ｑ１ｍ，Ｑ１ｃ，Ｑ１ｋにおいて、感光体ドラムＰＲｙ〜ＰＲｋの表面に対して、ＬＥＤヘッドＬＨｙ〜ＬＨｋから書込光が照射される。
感光体ドラムＰＲｙ〜ＰＲｋの回転方向に対して、書込領域Ｑ１ｙ〜Ｑ１ｋの下流側に設定された現像領域Ｑ２ｙ，Ｑ２ｍ，Ｑ２ｃ，Ｑ２ｋには、現像装置Ｇｙ，Ｇｍ，Ｇｃ，Ｇｋが感光体ドラムＰＲｙ〜ＰＲｋの表面に対向して配置されている。
【００１６】
感光体ドラムＰＲｙ〜ＰＲｋの回転方向に対して、現像領域Ｑ２ｙ〜Ｑ２ｋの下流側には、１次転写領域Ｑ３ｙ，Ｑ３ｍ，Ｑ３ｃ，Ｑ３ｋが設定されている。１次転写領域Ｑ３ｙ〜Ｑ３ｋでは、中間転写体の一例としての中間転写ベルトＢに接触している。また、１次転写領域Ｑ３ｙ，Ｑ３ｍ，Ｑ３ｃ，Ｑ３ｋにおいて、中間転写ベルトＢを挟んで感光体ドラムＰＲｙ〜ＰＲｋの反対側には、１次転写器の一例としての１次転写ロールＴ１ｙ，Ｔ１ｍ，Ｔ１ｃ，Ｔ１ｋが配置されている。
感光体ドラムＰＲｙ〜ＰＲｋの回転方向に対して、１次転写領域Ｑ３ｙ〜Ｑ３ｋの下流側には、像保持体の清掃器の一例としてのドラムクリーナＣＬｙ，ＣＬｍ，ＣＬｃ，ＣＬｋが配置されている。
【００１７】
前記感光体ドラムＰＲｙ〜ＰＲｋの上方には、中間転写装置の一例としてのベルトモジュールＢＭが配置されている。前記ベルトモジュールＢＭは、前記中間転写ベルトＢを有する。中間転写ベルトＢは、駆動部材の一例としての駆動ロールＲｄと、張架部材の一例としてのテンションロールＲｔと、蛇行補正部材の一例としてのウォーキングロールＲｗ、従動部材の一例としてのアイドラロールＲｆ、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００１８】
中間転写ベルトＢを挟んでバックアップロールＴ２ａの反対側には、２次転写部材の一例としての２次転写ロールＴ２ｂが配置されている。前記バックアップロールＴ２ａと２次転写ロールＴ２ｂにより２次転写器Ｔ２が構成されている。また、２次転写ロールＴ２ｂと中間転写ベルトＢとが対向する領域により２次転写領域Ｑ４が形成される。
前記１次転写ロールＴ１ｙ〜Ｔ１ｋ、中間転写ベルトＢおよび２次転写器Ｔ２等により、感光体ドラムＰＲｙ〜ＰＲｋに形成された画像を媒体に転写する実施例１の転写装置Ｔ１＋Ｔ２＋Ｂが構成されている。
【００１９】
中間転写ベルトＢの回転方向に対して、２次転写領域Ｑ４の下流側には、中間転写体の清掃器の一例としてのベルトクリーナＣＬｂが配置されている。
前記ベルトモジュールＢＭの上方には、現像剤の収容容器の一例としてのカートリッジＫｙ，Ｋｍ，Ｋｃ，Ｋｋが配置されている。各カートリッジＫｙ〜Ｋｋには、現像装置Ｇｙ〜Ｇｋに補給される現像剤が収容されている。前記カートリッジＫｙ〜Ｋｋと現像装置Ｇｙ〜Ｇｋとの間は、図示しない現像剤の補給装置により接続されている。
【００２０】
プリンタ部Ｕ１の下部には、媒体の収容容器の一例としての給紙トレイＴＲ１〜ＴＲ３が配置されている。給紙トレイＴＲ１〜ＴＲ３は、案内部材の一例としてのガイドレールＧＲにより前後方向に着脱可能に支持されている。給紙トレイＴＲ１〜ＴＲ３には、媒体の一例としてのシートＳが収容されている。
給紙トレイＴＲ１〜ＴＲ３の左上方には、媒体の取出部材の一例としてのピックアップロールＲｐが配置されている。ピックアップロールＲｐの左方には、捌き部材の一例としての捌きロールＲｓが配置されている。
各給紙トレイＴＲ１〜ＴＲ３の左方には、上方に延びる媒体の搬送路ＳＨが形成されている。搬送路ＳＨには、媒体の搬送部材の一例としての搬送ロールＲａが複数配置されている。搬送路ＳＨには、シートＳの搬送方向の下流部であり且つ２次転写領域Ｑ４の上流側に、送出部材の一例としてのレジロールＲｒが配置されている。
【００２１】
２次転写領域Ｑ４の上方には、定着装置Ｆが配置されている。定着装置Ｆは、加熱部材の一例としての加熱ロールＦｈと、加圧部材の一例としての加圧ロールＦｐとを有する。加熱ロールＦｈと加圧ロールＦｐとの接触領域により、定着領域Ｑ５が構成されている。
定着装置Ｆの斜め上方には、媒体の搬送部材の一例としての排出ローラＲｈが配置されている。排出ローラＲｈの右方には、媒体の排出部の一例としての排出トレイＴＲｈが形成されている。
【００２２】
（画像形成動作の説明）
前記原稿トレイＴＧ１に収容された複数の原稿Ｇｉは、プラテンガラスＰＧ上の原稿の読み取り位置を順次通過して、原稿の排紙トレイＴＧ２に排出される。
前記オートフィーダＵ３を使用して自動的に原稿を搬送して複写を行う場合は、読取り用の光学系Ａは初期位置に停止した状態で、プラテンガラスＰＧ上の読み取り位置を順次通過する各原稿Ｇｉを露光する。
原稿Ｇｉを作業者が手でプラテンガラスＰＧ上に置いて複写を行う場合、読取り用の光学系Ａが左右方向に移動して、プラテンガラスＰＧ上の原稿が、露光されながら走査される。
【００２３】
原稿Ｇｉからの反射光は、読取り用の光学系Ａを通って、撮像素子ＣＣＤに集光される。前記撮像素子ＣＣＤは、撮像面上に集光された原稿の反射光が赤：Ｒ、緑：Ｇ、青：Ｂの電気信号に変換される。
画像処理部ＧＳは、撮像素子ＣＣＤから入力されるＲＧＢの電気信号を黒：Ｋ、イエロー：Ｙ、マゼンタ：Ｍ、シアン：Ｃの画像情報に変換して一時的に記憶する。画像処理部ＧＳは、一時的に記憶した画像情報を予め設定された時期に、潜像形成用の画像情報として書込回路ＤＬに出力する。
なお、原稿画像が単色画像、いわゆる、モノクロの場合は、黒：Ｋのみの画像情報が書込回路ＤＬに入力される。
【００２４】
前記書込回路ＤＬは、図示しない各色Ｙ，Ｍ，Ｃ，Ｋの各駆動回路を有し、入力された画像情報に応じた信号を予め設定された時期に、各色毎に配置されたＬＥＤヘッドＬＨｙ〜ＬＨｋに出力する。
各感光体ドラムＰＲｙ〜ＰＲｋの表面は、帯電ロールＣＲｙ〜ＣＲｋによりに帯電される。ＬＥＤヘッドＬＨｙ〜ＬＨｋは、書込領域Ｑ１ｙ〜Ｑ１ｋにおいて、感光体ドラムＰＲｙ〜ＰＲｋの表面に静電潜像を形成する。現像装置Ｇｙ〜Ｇｋは、現像領域Ｑ２ｙ〜Ｑ２ｋにおいて、感光体ドラムＰＲｙ〜ＰＲｋの表面の静電潜像を、可視像の一例としてのトナー像に現像する。現像装置Ｇｙ〜Ｇｋで現像剤が消費されると、消費量に応じて、各カートリッジＫｙ〜Ｋｋから各現像装置Ｇｙ〜Ｇｋに現像剤が補給される。
【００２５】
各感光体ドラムＰＲｙ〜ＰＲｋの表面のトナー像は、１次転写領域Ｑ３ｙ，Ｑ３ｍ，Ｑ３ｃ，Ｑ３ｋに搬送される。各１次転写ロールＴ１ｙ〜Ｔ１ｋには、電源回路Ｅから予め設定された時期にトナーの帯電極性と逆極性の１次転写電圧が印加される。したがって、１次転写領域Ｑ３ｙ〜Ｑ３ｋにおいて、１次転写電圧により、感光体ドラムＰＲｙ〜ＰＲｋのトナー像は、中間転写ベルトＢに順次重ねて転写される。なお、Ｋ色の単色の画像の場合は、Ｋ色のトナー像のみが、Ｋの感光体ドラムＰＲｋから中間転写ベルトＢに転写される。
【００２６】
前記各感光体ドラムＰＲｙ〜ＰＲｋ上のトナー像は、前記１次転写ロールＴ１ｙ，Ｔ１ｍ，Ｔ１ｃ，Ｔ１ｋにより、中間転写体の一例としての中間転写ベルトＢに１次転写される。１次転写後の感光体ドラムＰＲｙ〜ＰＲｋ表面の残留物、付着物は、感光体クリーナＣＬｙ〜ＣＬｋで清掃される。清掃された感光体ドラムＰＲｙ〜ＰＲｋの表面は、帯電ロールＣＲｙ〜ＣＲｋで再帯電される。
【００２７】
前記各給紙トレイＴＲ１〜ＴＲ３のシートＳは、予め設定された給紙時期にピックアップロールＲｐにより取り出される。ピックアップロールＲｐで取り出されたシートＳは、複数枚のシートＳが重なった状態で取り出された場合には、捌きロールＲｓで１枚づつ分離される。捌きロールＲｓを通過したシートＳは、複数の搬送ロールＲａにより、レジロールＲｒに搬送される。
前記レジロールＲｒは、中間転写ベルトＢの表面のトナー像が２次転写領域Ｑ４に移動する時期に合わせて、シートＳを送り出す。
【００２８】
レジロールＲｒから送り出されたシートＳには、２次転写領域Ｑ４を通過する際に、２次転写ロールＴ２ｂに印加された２次転写電圧により、中間転写ベルトＢの表面のトナー像が転写される。
２次転写領域Ｑ４を通過後の中間転写ベルトＢの表面は、ベルトクリーナＣＬｂにより残留トナーが除去されて清掃される。
２次転写領域Ｑ４を通過したシートＳは、定着領域Ｑ５を通過する際に、定着装置Ｆによりトナー像が加熱および加圧されて定着される。
トナー像が定着された記録シートＳは、排出ローラＲｈで排紙トレイＴＲｈに排出される。
【００２９】
（現像装置の説明）
図３は実施例１の現像装置の説明図である。
図４は図３のＩＶ−ＩＶ線断面図である。
次に、前記本発明の実施例１の現像装置Ｇｙ，Ｇｍ，Ｇｃ，Ｇｋの説明をするが、各色の現像装置Ｇｙ，Ｇｍ，Ｇｃ，Ｇｋは同様に構成されているため、Ｙ色の現像装置Ｇｙについてのみ詳細な説明をし、その他の色の現像装置Ｇｍ，Ｇｃ，Ｇｋについては、詳細な説明を省略する。
図３、図４において、感光体ドラムＰＲｙに対向して配置された現像装置Ｇｙは、トナー及びキャリアとを含む２成分現像剤を収容する現像容器Ｖを有している。図３において、現像容器Ｖは、下部の容器本体１を有する。容器本体１の上部には、蓋部材の一例としての容器カバー２が支持されている。容器カバー２は、容器本体１の上面を塞いでいる。
【００３０】
図３、図４において、現像容器本体１には、内部の左上部に、現像剤の保持体の収容部の一例としての現像ロール室４が形成されている。現像ロール室４の下方には、第１の収容室の一例としての供給室６が形成されている。供給室６は現像ロール室４と接続されている。供給室６の右方には、第２の収容室の一例としての撹拌室７が形成されている。
供給室６と撹拌室７との間は、仕切部材の一例としての仕切壁８で仕切られている。図４において、仕切壁８の前方には、第１の接続部の一例として、供給室６と撹拌室７とを接続する第１流入部８ａが形成されている。なお、実施例１では、第１流入部８ａは、現像ロール室４の前端よりも前方に配置されている。また、仕切壁８の後方には、第２の接続部の一例として、供給室６と撹拌室７とを接続する第２流入部８ｂが形成されている。
【００３１】
現像ロール室４には、現像剤の保持体の一例としての現像ロールＲ０ｙが収容されている。現像ロールＲ０ｙは左上方の外表面の一部が、感光体ドラムＰＲｙに対向して配置されている。現像ロールＲ０ｙは、磁石部材の一例としての磁石ロール１１を有する。図４において、磁石ロール１１は、現像容器Ｖに回転不能に支持されている。図３、図４において、磁石ロール１１の外周には、回転部材の一例としての現像スリーブ１２が配置されている。現像スリーブ１２は、現像容器Ｖに回転可能に支持されている。現像スリーブ１２の後端には、駆動の伝達部材の一例としてのギアＧ０が支持されている。ギアＧ０には、駆動源の一例としての図示しないモータから駆動が伝達可能に構成されている。実施例１の現像装置Ｇｙでは、モータから駆動が伝達された場合に、現像スリーブ１２は、現像領域Ｑ２ｙにおいて、感光体ドラムＰＲｙの表面の移動方向と同方向に回転する
【００３２】
現像ロール室４の下方には、層厚の規制部材の一例としてのトリマー１３が配置されている。実施例１のトリマー１３は、前後方向に延びる円柱状に形成されている。トリマー１３は、現像スリーブ１２に対して、予め設定された隙間をあけて回転不能な状態で支持されている。
なお、前記磁石ロール１１には、現像領域Ｑ２ｙに対応して、現像磁極Ｓ１が設けられている。また、トリマー１３に対向する位置には、層厚の規制用の磁極の一例としてのトリミング磁極Ｎ２が設けられている。トリミング磁極Ｎ２は、現像磁極Ｓ１とは逆極性の磁極により構成されている。また、現像スリーブ１２の回転方向に対して、現像磁極Ｓ１の下流側には、現像磁極Ｓ１とは逆極性の搬送磁極Ｎ１が設けられている。現像スリーブ１２の回転方向に対して、搬送磁極Ｎ１の下流側には、現像剤の離脱用の磁極の一例としてのピックオフ磁極Ｓ２が設けられている。ピックオフ磁極Ｓ２は、搬送磁極Ｎ１とは逆極性の磁極により構成されている。現像スリーブ１２の回転方向に対して、ピックオフ磁極Ｓ２の下流側且つトリミング磁極Ｎ２の上流側には、現像剤の吸着用の磁極の一例としてのピックアップ磁極Ｓ３が設けられている。ピックアップ磁極Ｓ３は、ピックオフ磁極Ｓ２とは同極性且つトリミング磁極Ｎ２とは逆極性の磁極により構成されている。
【００３３】
図３、図４において、供給室６には、第１の搬送部材の一例としての供給オーガ１６が配置されている。供給オーガ１６は、前後方向に延びる回転軸１６ａを有する。回転軸１６ａの外周には、螺旋状の搬送羽根１６ｂが支持されている。また、回転軸１６ａの後端には、駆動の伝達部材の一例としてのギアＧ１が支持されている。
撹拌室７には、第２の搬送部材の一例としての撹拌オーガ１７が配置されている。撹拌オーガ１７は、供給オーガ１６と同様に、回転軸１７ａと、搬送羽根１７ｂと、ギアＧ２とを有する。各ギアＧ０〜Ｇ２は、互いに噛み合っている。
また、図４において、撹拌室７の後部には、カートリッジＫｙからの現像剤が補給される補給口７ａが形成されている。
【００３４】
（現像装置の機能）
前記構成を備えた現像装置Ｇｙ〜Ｇｋでは、画像形成が開始されると、モータが駆動して、各オーガ１６，１７が回転すると共に、現像ロールＲ０ｙ〜Ｒ０ｋが回転する。実施例１では、供給オーガ１６が回転すると、供給オーガ１６は、供給室６の現像剤を、矢印Ｙａで示すように、第１流入部８ａから第２流入部８ｂに向けて撹拌しながら搬送する。第２流入部８ｂまで搬送された現像剤は、第２流入部８ｂを通じて撹拌室７に流入する。撹拌オーガ１７が回転すると、撹拌オーガ１７は、撹拌室７の現像剤を、矢印Ｙｂで示すように、第２流入部８ｂから第１流入部８ａに向けて撹拌しながら搬送する。第１流入部８ａまで搬送された現像剤は、第１流入部８ａを通じて供給室６に流入する。よって、供給室６と撹拌室７とによって、循環室６＋７が構成されている。
【００３５】
供給室６の現像剤は、ピックアップ磁極Ｓ３の磁力で、現像スリーブ１２に吸着される。現像スリーブ１２に吸着された現像剤は、トリマー１３を通過する際に、トリマー１３と現像スリーブ１２との隙間に対応する予め設定された現像剤のみが通過する。トリマー１３を通過した現像剤は、現像領域Ｑ２ｙ〜Ｑ２ｋにおいて、感光体ドラムＰＲｙ〜ＰＲｋの潜像を現像する。現像に使用されなかった現像剤は、現像磁極Ｓ１と搬送磁極Ｎ１との間の磁界や搬送磁極Ｎ１とピックオフ磁極Ｓ２との間の磁界等で現像スリーブ１２の表面に吸着されたまま搬送される。同極性のピックオフ磁極Ｓ２とピックアップ磁極Ｓ３との間では、現像剤を現像スリーブ１２に吸着する磁力が低下する。よって、現像スリーブ１２の表面に吸着された現像剤は、ピックオフ磁極Ｓ２とピックアップ磁極Ｓ３との間で、現像スリーブ１２から離脱して、循環室６＋７に戻される。
【００３６】
（現像スリーブ１２の説明）
実施例１の現像スリーブ１２では、金属製の円筒の表面に、ショットブラスト加工で凹凸が形成されている。
ここで、実施例１では、現像スリーブ１２の表面に形成された凹凸における凹の最も深い位置を「０」とし且つ凸の最も高い位置を「１００」とした場合の凹凸の平均の深さをｙとし、凹凸の１０点平均粗さをｘとした場合に、以下の式（１）を満足するように、凹凸が形成されている。
ｙ≧１．８７５×ｘ＋１１．２５  …式（１）
なお、以下の本文において、前記「ｙ」を「ｄｕｔｙ」と呼び、「ｘ」を「粗さＲｚ」と表記する。
【００３７】
図５は実施例の現像スリーブの表面の凹凸の説明図であり、図５Ａはｄｕｔｙが小さい場合の説明図、図５Ｂはｄｕｔｙが大きい場合の説明図である。
図５において、図５Ａおよび図５Ｂのように、凹凸の最も深い位置２１と最も高い位置２２とが同一でも、平均的な凹凸の深さが異なる場合がある。すなわち、ショットブラスト加工時に、衝突させる投射材の硬さや衝突速度、現像スリーブ１２の硬さ等の条件によって、平均的な深さ２３が、異なる場合がある。例えば、アルミニウム製の現像スリーブ１２に対してショットブラスト加工をした場合、図５Ａに示すような表面の状態となり、ＳＵＳ製の現像スリーブ１２に対してショットブラスト加工をした場合、図５Ｂに示すような表面の状態となる。実施例１では、この平均的な深さ２３をｄｕｔｙとし、深い位置２１を０％とし、高い位置２２を１００％とした場合の、平均的な深さ２３の位置の値［％］をｄｕｔｙの値として説明する。
なお、上記の説明から理解可能であるが、ｄｕｔｙ１００％は、Ｒｚ＝０と同等のことになる。
【００３８】
前記構成を備えた実施例１の現像装置Ｇｙ〜Ｇｋでは、現像スリーブ１２の表面にブラスト加工で凹凸が形成されている。ここで、現像スリーブ１２の表面に凹凸が形成されていないと、現像スリーブ１２の回転時に現像剤が表面に沿って滑ってしまい、現像領域Ｑ２ｙ〜Ｑ２ｋに現像剤が安定して搬送されない。よって、特許文献１に記載のように、現像スリーブ１２の表面にＶ字状の溝を形成したり、ブラスト加工をしたり、エッチングをしたりして、従来から凹凸が形成されている。
【００３９】
近年の画像形成装置では、高画質化や、使用時の費用、いわゆるランコストの削減の目的で小径の現像剤が使用されている。また、単位時間当たりの印刷枚数も高速化している。したがって、小径の現像剤は、従来の現像剤に比べて、現像スリーブ１２の表面に沿って滑って脱落しやすい。また、高速で現像スリーブ１２が回転すると、現像剤が遠心力で脱落しやすい。さらに、高速で現像スリーブ１２が回転すると、現像領域Ｑ２ｙ〜Ｑ２ｋの通過時間が短くなり、現像スリーブ１２の表面に保持された現像剤のムラの影響が出やすくなったり、電界が作用する時間が短くなったりして、現像性能が低下しやすい。
【００４０】
図６は感光体と現像ロールの表面との隙間の説明図である。
図６において、感光体ドラムＰＲｙ〜ＰＲｋと、現像スリーブ１２との間隔、いわゆる、ＤＲＳ：Drum to Roll Spaceは、感光体ドラムＰＲｙ〜ＰＲｋの表面と現像スリーブ１２の表面、すなわち、凹凸の最も高い位置２２との間で設定される。ここで、特許文献１に記載の技術のように、Ｒｚが大きい場合、凹凸の最も高い位置２２と最も深い位置２１との高低差が大きくなる。したがって、ＤＲＳが一定の場合、Ｒｚの値にかかわらず、最も高い位置２２と感光体ドラムＰＲｙ〜ＰＲｋの間隔ＤＲＳは一定であるが、最も深い位置２１と感光体ドラムＰＲｙ〜ＰＲｋとの間隔は、Ｒｚが大きくなるほど、大きくなる。したがって、特許文献１に記載の技術のようにＲｚが大きいと、最も深い位置２１では、最も高い位置２２に比べて、現像領域Ｑ２ｙ〜Ｑ２ｋにおける電界が弱くなり、現像性能が低下する問題がある。
【００４１】
これに対して、実施例１の現像スリーブ１２では、表面の凹凸が式（１）を満足する。したがって、式（１）を満足する現像スリーブ１２では、ｄｕｔｙは高く、粗さＲｚは比較的小さくなる。したがって、Ｒｚが小さくなっており、最も深い位置２１で、電界が弱まりにくく、且つ、ｄｕｔｙ、すなわち、平均的な深さ２３も高く（浅く）なっており、全体として、電界が弱まりにくい。よって、従来の構成に比べて現像性能が向上する。
特に、実施例１の現像スリーブ１２では、表面の凹凸が、Ｖ溝加工ではなく、ブラスト加工で形成されている。Ｖ溝加工では、周方向で凹凸が登場する周期が、ブラスト加工の場合に比べて、大きくなる。よって、現像領域Ｑ２ｙ〜Ｑ２ｋに搬送される現像剤が溝の周期に応じて、周期的なムラが発生しやすい。これに対して、ブラスト加工の実施例１では、Ｖ溝加工の場合に比べて、周期が小さくなり、現像領域Ｑ２ｙ〜Ｑ２ｋに搬送される現像剤の周期的なムラも低減される。
【００４２】
次に、実施例１の効果を確認するために実験を行った。
（実験例１）
実験例１では、Ｒｚとｄｕｔｙと、現像性との関係を観測した。
実験例１では、富士ゼロックス株式会社製のColor 1000 Pressを改造して行った。実験例１では、体積平均粒径が３．８μｍのトナーを使用した。
現像性は、濃度１００％の画像を印刷した場合の感光体ドラムＰＲｙ〜ＰＲｋの表面に移動した単位面積当たりのトナー量、いわゆるＤＭＡ：Development Mass per Areaに基づいて判断をした。
【００４３】
図７は実験例および比較例の一覧表である。
実験例１−１では、ｓｕｓ：ステンレス製の現像スリーブ１２を使用した。Ｒｚは１７［μｍ］であり、ｄｕｔｙは５５［%］に設定した。
実験例１−２では、ステンレス製の現像スリーブ１２を使用した。Ｒｚは８．１［μｍ］であり、ｄｕｔｙは５２［%］に設定した。
実験例１−３では、アルミニウム製の現像スリーブ１２を使用した。Ｒｚは２２［μｍ］であり、ｄｕｔｙは５２．５［%］に設定した。
実験例１−４では、アルミニウム製の現像スリーブ１２を使用した。Ｒｚは１８［μｍ］であり、ｄｕｔｙは４５［%］に設定した。
実験例１−５では、アルミニウム製の現像スリーブ１２を使用した。Ｒｚは１４［μｍ］であり、ｄｕｔｙは５１［%］に設定した。
【００４４】
比較例１−１では、ｓｕｓ：ステンレス製の現像スリーブ１２を使用した。Ｒｚは２８．２［μｍ］であり、ｄｕｔｙは５０［%］に設定した。
比較例１−２では、アルミニウム製の現像スリーブ１２を使用した。Ｒｚは１８．６［μｍ］であり、ｄｕｔｙは４０［%］に設定した。
比較例１−３では、アルミニウム製の現像スリーブ１２を使用した。Ｒｚは２５［μｍ］であり、ｄｕｔｙは５４［%］に設定した。
比較例１−４では、アルミニウム製の現像スリーブ１２を使用した。Ｒｚは３０［μｍ］であり、ｄｕｔｙは４５［%］に設定した。
実験結果を図８に示す。
【００４５】
図８は実験結果の説明図であり、図８Ａは横軸にＲｚを取り縦軸にｄｕｔｙを取ったグラフであり、図８Ｂは横軸にＲｚを取り縦軸に現像性を取ったグラフ、図８Ｃは横軸にｄｕｔｙを取り縦軸に現像性を取ったグラフである。
図８Ｂ、図８Ｃにおいて、現像性が４．２［ｇ／ｍ２］以上を許容値とした。なお、ＤＭＡが４．２よりも低いと、濃度が薄くなり、スキャンした画像とプリント画像との色差が大きくなる問題がある。
このとき、図８Ａにおいて、実験例１−１〜１−５が式（１）を満足する領域に入り、比較例１−１〜１−４が式（１）を満足しない領域となることが確認された。
【００４６】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ03）を下記に例示する。
（Ｈ01）前記実施例において、画像形成装置の一例としての複写機を例示したが、これに限定されず、例えば、プリンタ、ＦＡＸ、あるいはこれらの複数または全ての機能を有する複合機等により構成することも可能である。
（Ｈ02）前記実施例において、複写機Ｕは、４色の現像剤が使用される構成を例示したが、これに限定されず、例えば、単色の画像形成装置や、５色以上または３色以下の多色の画像形成装置にも適用可能である。
【００４７】
（Ｈ03）前記実施例において、磁石ロール１１の磁極の数は、例示した５つに限定されない。例えば、３極や７極以上といった奇数個の磁極を有する磁石ロールを採用可能である。
【符号の説明】
【００４８】
１１…磁石部材、
１２…回転部材、
２１…凹の最も深い位置、
２２…凸の最も高い位置、
２３…凹凸の平均の深さ、
Ｆ…定着装置、
Ｇｙ，Ｇｍ，Ｇｃ，Ｇｋ…現像装置、
ＬＨｙ，ＬＨｍ，ＬＨｃ，ＬＨｋ…潜像の形成装置、
ＰＲｙ，ＰＲｍ，ＰＲｃ，ＰＲｋ…像保持体、
Ｒ０ｙ，Ｒ０ｍ，Ｒ０ｃ，Ｒ０ｋ…現像剤保持体、
Ｒｚ…１０点平均粗さ、
Ｓ…媒体、
Ｔ１＋Ｔ２＋Ｂ…転写装置、
Ｕ…画像形成装置、
Ｖ…収容部。
【図１】
2016170227.tif 000003
【図２】
2016170227.tif 000004
【図３】
2016170227.tif 000005
【図４】
2016170227.tif 000006
【図５】
2016170227.tif 000007
【図６】
2016170227.tif 000008
【図７】
2016170227.tif 000009
【図８】
2016170227.tif 000010